(57)【特許請求の範囲】
【請求項１】
所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、
前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、
前記中間ガイドローラは、軸方向に沿って複数に分割されて、軸方向の両端部に配置される分割ローラ体は、平面視において外端が進行方向の側を向くように傾斜配置されていることを特徴とするマルチ作業機。
【請求項２】
軸方向の両端部に配置される一対の分割ローラ体は、外端が低くなるように配置されていることを特徴とする請求項１に記載のマルチ作業機。
【請求項３】
所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、
前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、
前記中間ガイドローラは、中央部ローラ体と、左右一対の両端部ガイド体とに分割されて、前記中央部ローラ体は回転可能であると共に、前記一対の両端部ガイド体は、平面視において外端が進行方向の側を向くように傾斜配置された非回転体で構成されていることを特徴とするマルチ作業機。
【請求項４】
所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、
前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、
前記中間ガイドローラは、中央部から両端に向けて外径が小さくなっている形状であることを特徴とするマルチ作業機。
【請求項５】
所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、
前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、
前記中間ガイドローラは、軸方向に沿って複数に分割されて、軸方向の両端部に配置される分割ローラ体は、中央部に配置された１ないし複数の分割ローラ体に対して進行方向に沿って僅かに前側に配置されていることを特徴とするマルチ作業機。
【発明の詳細な説明】
【技術分野】
【０００１】
本発明は、機体の進行によりフィルムロールから終始ほぼ一定張力で繰り出されたマルチフィルムにより畦面を被覆するマルチ作業機に関するものであり、更に詳しくは、畦面に被覆されるマルチフィルムに発生するしわを無くすか、或いは極力少なくしたマルチ作業機に関するものである。
【背景技術】
【０００２】
マルチ作業機は、特許文献１に記載されているように、所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪とを備え、前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成の農用作業機である。
【０００３】
上記したマルチ作業機は、フィルムロールから繰り出されたマルチフィルムは、中間ガイドローラを介して弛み吸収ローラに巻き掛けられていて、該中間ガイドローラと弛み吸収ローラとの間隔は不変である。このため、マルチ作業が進行してマルチフィルムの巻径が変化しても、マルチフィルムが中間ガイドローラの両端に巻き掛けられる部分と、同じく弛み吸収ローラの両端に巻き掛けられる部分、及び踏圧輪により踏圧される部分の各間隔は不変であって、即ち、中間ガイドローラよりも下流側のフィルム経路は、マルチフィルムの巻径の減少とは無関係に一定に保持され、中間ガイドローラ、弛み吸収ローラ、及び一対の踏圧輪で保持される部分においてマルチフィルムに作用する張力は一定である。従って、フィルムロールを形成するマルチフィルムの巻径の減少とは無関係に、畦面に被覆される直前のマルチフィルムの幅方向及び前後方向の各張力は終始ほぼ一定する。
【０００４】
しかし、特許文献１に記載のマルチ作業機は、フィルムロールを形成するマルチフィルムの巻径の減少とは無関係に、畦面に被覆される直前のマルチフィルムの幅方向及び前後方向の各張力は終始ほぼ一定するという利点がある反面、中間ガイドローラがストレート状であるため、弛み吸収ローラによりマルチフィルムが巻き掛けられることにより、当該マルチフィルムは、中間ガイドローラの部分において、幅方向の両側部から当該中間ガイドローラの軸方向の中心部の側に寄せ集められるような力が作用し、この力が原因となって、畦面に被覆されるマルチフィルムにしわが発生し易いという不具合があった。
【０００５】
マルチフィルムにしわが発生した状態で畦面に被覆されると、強風によりマルチフィルムが踊って「ばたばた」し、これが繰り返されることにより、覆土されているマルチフィルムの裾部が外される結果、畦面からマルチフィルムが外されてしまう問題があった。マルチフィルムは、一箇所でも外れてしまうと、畦に沿って全体が容易に外れてしまい、外されたマルチフィルムの修復は極めて面倒であった。また、畦面に被覆されたマルチフィルムにしわが発生していると、しわの部分において雑草が発生し易くなって、雑草の発生を助けるという問題もあった。
【特許文献１】特開平１０−３２７６８３号公報
【発明の開示】
【発明が解決しようとする課題】
【０００６】
本発明は、マルチフィルムの巻径が減少しても、フィルム経路を一定に保持する中間ガイドローラを備えたマルチ作業機において、畦面に被覆されるマルチフィルムに発生するしわを無くすか、或いは極力少なく（小さく）することを課題としている。
【課題を解決するための手段】
【０００７】
上記課題を解決するための請求項１の発明は、所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、前記中間ガイドローラは、軸方向に沿って複数に分割されて、軸方向の両端部に配置される分割ローラ体は、平面視において外端が進行方向の側を向くように傾斜配置されていることを特徴としている。
【０００８】
請求項１の発明によれば、軸方向の両端部に配置される分割ローラ体が、平面視において外端が進行方向の側を向くように傾斜配置されているため、フィルムロールから繰り出されて中間ガイドローラに巻き掛けられたマルチフィルムは、弛み吸収ローラにより斜前下方に引っ張られる際に、幅方向の両側に僅かに引っ張られた状態で空中を走行して、機体の進行により、当該マルチフィルムは、被覆直前の幅方向の両端部が各踏圧輪で踏圧されることにより、フィルムロールから繰り出されて、成形直後の畦面に被覆される。このように、マルチフィルムが中間ガイドローラの部分を走行する際に、幅方向の両側に引っ張られた状態になってしわが発生しにくくなるので、畦面に被覆されるマルチフィルムにしわが発生するのが抑制される。
【０００９】
また、請求項２の発明は、請求項１の発明において、軸方向の両端部に配置される一対の分割ローラ体は、外端が低くなるように配置されていることを特徴としている。
【００１０】
請求項２の発明によれば、軸方向の両端部に配置される一対の分割ローラ体は、平面視において外端が進行方向の側を向くように傾斜配置されていることに加え、外端が低くなるように背面視においても傾斜配置されていて背面視における傾斜配置は、マルチフィルムが流れを助けるので、空中走行するマルチフィルムにしわが発生するのが一層抑制されて、畦面に被覆されたマルチフィルムには、しわの発生がなくなる。
【００１１】
また、請求項３の発明は、所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、前記中間ガイドローラは、中央部ローラ体と、左右一対の両端部ガイド体とに分割されて、前記中央部ローラ体は回転可能であると共に、前記一対の両端部ガイド体は、平面視において外端が進行方向の側を向くように傾斜配置された非回転体で構成されていることを特徴としている。
【００１２】
中間ガイドローラの中央部分に巻き掛けられるマルチフィルムの幅方向に沿った中央部分は、弛み吸収ローラに巻き掛けられる部分であるため、回転体に巻き掛けて繰り出す必要があるが、マルチフィルムにおける中間ガイドローラの両端部に巻き掛けられる部分は、当該中間ガイドローラの中央部に巻き掛けられる部分に比較して張力が小さくなるので、非回転体構造であっても差し支えない。そこで、請求項３の発明のように、中間ガイドローラを構成する一対の両端部ガイド体は、平面視において外端が機体の進行方向の側を向くように傾斜配置された非回転体で構成しても、マルチフィルムにしわが発生するのを抑制できる。
【００１３】
また、請求項４の発明は、所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、前記中間ガイドローラは、中央部から両端に向けて外径が小さくなっている形状であることを特徴としている。
【００１４】
請求項４の発明によれば、中間ガイドローラは、中央部から両端に向けて外径が小さくなっている形状であると、マルチフィルムが巻き掛けられる観点からは、軸方向の両端部に配置される一対の分割ローラ体が、平面視において外端が進行方向の側を向くように傾斜配置されている場合と同様の作用効果が奏される。即ち、フィルムロールから繰り出されて中間ガイドローラに巻き掛けられたマルチフィルムは、弛み吸収ローラにより斜前下方に引っ張られる際に、幅方向の両側に僅かに引っ張られた状態で空中を走行するため、畦面に覆われるマルチフィルムにしわが発生するのを抑制できる。
【００１５】
また、請求項５の発明は、所定のブレーキトルクが加えられた状態で、両端部がフレームに支持されたフィルムロールと、当該フィルムロールよりも下方に配置されて、当該フィルムロールを形成するマルチフィルムの巻径の減少とは無関係に一定のフィルム経路を形成するための中間ガイドローラと、当該中間ガイドローラの下方であって、しかも機体の進行方向に対して前方に配置されて、前記フィルムロールから繰り出されたマルチフィルムの幅方向の中央部のみを部分的に巻き掛ける弛み吸収ローラと、前記フィルムロールから繰り出されて被覆直前のフィルムの幅方向の両端部を踏圧するための踏圧輪と、当該踏圧輪により踏圧された状態の前記フィルムの幅方向の両端部を覆土するための覆土輪とを備え、前記フィルムロールから繰り出されたマルチフィルムは、前記中間ガイドローラ、及び前記弛み吸収ローラに巻き掛けて、該マルチフィルムの幅方向の両端縁を前記踏圧輪で踏圧した状態で、機体を進行させることにより、フィルムロールからマルチフィルムを繰り出して、畦成形板により成形された直後の畦面に該マルチフィルムを被覆する構成のマルチ作業機であって、前記中間ガイドローラは、軸方向に沿って複数に分割されて、軸方向の両端部に配置される分割ローラ体は、中央部に配置された１ないし複数の分割ローラ体に対して進行方向に沿って僅かに前側に配置されていることを特徴としている。
【００１６】
請求項５の発明のように、中間ガイドローラが軸方向に沿って複数に分割されて、軸方向の両端部に配置される分割ローラ体は、中央部に配置された１ないし複数の分割ローラ体に対して進行方向に沿って僅かに前側に配置された構成にしても、フィルムロールから繰り出されて中間ガイドローラに巻き掛けられたマルチフィルムは、弛み吸収ローラにより斜前下方に引っ張られる際に、幅方向の両側に僅かに引っ張られた状態で空中を走行するため、畦面に覆われるマルチフィルムにしわが発生するのを抑制できる。
【発明の効果】
【００１７】
本発明によれば、フィルムロールから繰り出されるマルチフィルムの巻径が減少しても、当該マルチフィルムの走行経路を不変とするための中間ガイドローラの平面形状の工夫によって、畦面に被覆されるマルチフィルムにしわが発生するのを効果的に防止、或いは抑制できる。
【発明を実施するための最良の形態】
【００１８】
以下、複数の実施例を挙げて、本発明を更に詳細に説明する。
【実施例１】
【００１９】
以下、実施例を挙げて、本発明を更に詳細に説明する。図１は、本発明を実施したマルチ作業機Ｍの後方からの斜視図、図２は、トラクタＴに連結されたマルチ作業機Ｍの一部を破断した側面図、図３は、同じく平面図、図４は、同じく背面図、図５は、畦成形板２３の斜視図である。
【００２０】
最初に、マルチ作業機Ｍの全体構成について説明し、その後に、本発明に係る中間ガイドローラＲ1 〜Ｒ5 について説明する。図１及び図２に示されるように、本発明のマルチ作業機Ｍは、牽引車の一例であるトラクタＴ（図２参照）の後方に、三点ヒッチリンクＨを構成する１本の上側リンク１と２本の下側リンク２を介して連結されている。前記マルチ作業機Ｍの前部（トラクタＴと相対向する部分）には、圃場を膨軟にするためのロータリー装置３が配設されている。該ロータリー装置３の各ロータリー刃３ａは、トラクタＴのＰＴＯ軸（図示せず）からユニバーサルジョイント４を介して伝達される動力によって所定方向に連続回転される。トラクタＴに牽引されたマルチ作業機Ｍは、前記トラクタＴの前進に伴い、矢印Ｐの方向に前進される。なお、図２において、６はトラクタＴの後輪であり、７は運転席である。
【００２１】
マルチ作業機Ｍを構成するフレームＫは、前述したロータリー装置３の直後で、マルチ作業機Ｍの幅方向Ｑに沿って配設された水平機枠８と、該水平機枠８から垂下された一対の垂直機枠９を備えている。前記ロータリー装置３は、２本の連結ブラケット１１を介して前記水平機枠８に連結されている。前記一対の垂直機枠９から後方に向かって、平面視においてわん曲状態を呈する一対の連結部材１２が延設されている。各連結部材１２の後端部には、それぞれ角筒状の後方機枠１３が固着されていて、各後方機枠１３には各フィルムロール支持部材１４が挿入されている。各後方機枠１３に対する各フィルムロール支持部材１４の挿入長さを調整することにより、異なる長さのフィルムロール１５を装着することができる。圃場に成形された畦Ａ1 の全面を被覆するマルチフィルム（以下、単に「フィルム」と略す場合もある）Ｆは、ローラ状に巻回されたフィルムロール１５となって前記各フィルムロール支持部材１４に回転可能に支持されている。即ち、図３及び図４に示されるように、各フィルムロール支持部材１４の上端部には、圧縮ばね１６が弾装された紙管チャック１７が取付けられていて、前記フィルムロール１５は、その両端部が対応する紙管チャック１７に挿入されている。そして、前記各圧縮ばね１６による所定の付勢力（ブレーキトルク）が加えられた状態で回転され、フィルムロール１５からフィルムＦが繰り出される。
【００２２】
前記水平機枠８の背面部には、マルチ作業機Ｍの幅方向Ｑに所定の間隔をおいて複数本（実施例では４本）の中間ガイドローラ支持部材１８が取付けられている。中央の２本の中間ガイドローラ支持部材１８には、マルチ作業機Ｍの幅方向Ｑに沿って第１支承軸１８ａが支持されていると共に、両端の２本１組となった各中間ガイドローラ支持部材１８には、平面視において外側が前方に位置されるように傾斜配置された第２支承軸１８ｂがそれぞれ支持されている。第１及び第２の各支承軸１８ａ，１８ｂには、それぞれ中間ガイドローラＲ1 を構成する分割ローラ体Ｒ11が回転可能に支持されている。中間ガイドローラＲ1 は、フィルムロール１５のほぼ直下に配置されている。また、前記水平機枠８の背面部で、マルチ作業機Ｍの幅方向Ｑのほぼ中央部には、弛み吸収ローラ支持部材２１が後方に張り出した状態で固着されている。該弛み吸収ローラ支持部材２１は、側面視において略Ｌ字状であり、フィルムロール１５と干渉しないように、該フィルムロール１５の上方を通ってその背後に回り込む形態で取付けられている。そして、前記弛み吸収ローラ支持部材２１には、高さ位置を調整可能にして弛み吸収ローラ２２が、マルチ作業機Ｍの幅方向Ｑに沿って取付けられている。該弛み吸収ローラ２２は、マルチ作業機Ｍの幅方向Ｑのほぼ中央部であって、しかも前記各中間ガイドローラＲ1 の下方で、かつ僅かに前方（斜下前方）に配置されている。前記弛み吸収ローラ２２は、フィルムロール１５から繰り出され、各中間ガイドローラＲ1 にガイドされたフィルムＦの弛みを吸収するためのものであり、前記弛み吸収ローラ２２の直下に配設された畦成形板２３（後述）によって成形される畦Ａ1 の上面部Ａ1aの幅に対応する長さを有している。
【００２３】
次に、接地輪２４について説明する。前述した一対の連結ブラケット１１には、マルチ作業機Ｍの幅方向Ｑに沿って支持軸２５が回動自在に取付けられていて、該支持軸２５の両端部に一対の接地輪支持ロッド２６が取付けられている。各接地輪支持ロッド２６は、一対の垂直機枠９の側方に配置されていて、それらの先端部には、それぞれ接地輪２４が回転可能に支承されている。また、前記接地輪支持ロッド２６の軸方向のほぼ中央部には、高さ調整ロッド２７が取付けられている。前記高さ調整ロッド２７の上端部に設けられたハンドル２７ａを回転させることにより、高さ調整ロッド２７の長さが変化し、それに伴って支持軸２５が回動される。これにより、各接地輪支持ロッド２６の高さ位置が変化し、各接地輪２４の高さ方向の取付位置が調整される。
【００２４】
次に、畦成形板２３について説明する。前述したように、マルチ作業機ＭのフレームＫを構成する水平機枠８及び一対の垂直機枠９の直後方の部分には、畦成形板２３が配設されている。図５に示されるように、本実施例の畦成形板２３は、後方に向かって上面部が切除され、断面略放物線形状にわん曲された一対の主成形板部２８と、各主成形板部２８の内側面部に取付けられた上面成形板部２９と、前記一対の主成形板部２８の前端部に取付けられた一対の誘導板部３０と、同じく主成形板部２８の後方下端部から斜め後方外側に張り出して取付けられた一対の狭溝成形板部３１とから成る。即ち、前記一対の主成形板部２８の前端部には、前端周縁の全長に亘って前記各主成形板部２８の外方に向けて一対の誘導板部３０が平面視で緩やかなハの字状となって、しかも、各主成形板部２８の前端周縁よりも外方の部分を周囲から取り囲むように取付けられている。一対の誘導板部３０は、前方のロータリー装置３により膨軟にされた土壌を畦中央に寄せ集めると共に、全土壌を畦成形に寄与すべく、畦成形予定部以外の部分に土壌が残存するのを防止している。そして、前記各主成形板部２８と各狭溝成形板部３１との間には、一対の踏圧輪３２（後述）を当接するための当接板３３が固着されている。
【００２５】
次に、踏圧輪３２について説明する。前述した一対の後方機枠１３における内側の端部には、側面視において略台形状の一対の第１支持板３４が、マルチ作業機Ｍの幅方向Ｑに所定の間隔をおいて取付けられている。各後方機枠１３における一対の第１支持板３４の取付位置は、調整可能である。一対の第１支持板３４の後端部には、マルチ作業機Ｍの幅方向Ｑに沿って回動支点ピン３５が挿通されていて、該回動支点ピン３５に断面略逆Ｕ字形状の第２支持板３６と踏圧輪支持ロッド３７が、一体となって回動可能に支承されている。また、前記第２支持板３６の両側壁部には、マルチ作業機Ｍの幅方向Ｑに沿ってばね支持ピン３６ａが突出されていると共に、踏圧輪支持ロッド３７の上面部には、ばね支持部材３７ａが取付けられていて、前記ばね支持ピン３６ａと前記ばね支持部材３７ａとの間に２本の引張りばね３８が弾装されている。なお、図４及び図５では、ばね支持部材３７ａ及び引張りばね３８の図示を省略してある。
【００２６】
各踏圧輪支持ロッド３７の先端部で、それらの内側部分には、それぞれ踏圧輪３２が回転可能に支承されていると共に、同じく外側部分には、覆土具の一例である各覆土輪３９が取付けられている。前記一対の踏圧輪３２は、フィルムロール１５から繰り出されたフィルムＦの幅方向Ｑの両端部Ｆ1 を踏圧して、畦成形板２３によって圃場に形成された畦Ａ1 の両裾部Ａ1bに押し付けるという機能を有しており、それらの前部を僅かに内側に向けて配置されている。また、前記一対の覆土輪３９は、前記一対の踏圧輪３２によって畦Ａ1 の両裾部Ａ1bに押し付けられたフィルムＦの幅方向Ｑの両端部Ｆ1 を覆土するという機能を有しており、各踏圧輪３２の後方でそれらの前部を少し外側に向けて配置されている。そして、後方機枠１３に対する第１支持板３４の取付位置を調整することにより、一対の踏圧輪３２及び一対の覆土輪３９どうしの間隔を調整することができる。
【００２７】
圃場にマルチ作業が行われている状態で、各踏圧輪支持ロッド３７は、自重により、回動支点ピン３５の軸心を中心に下方（当接板３３に接近する方向）に向かって回動されている。これにより、フィルムＦの幅方向Ｑの両端部Ｆ1 が、畦Ａ1 の両裾部Ａ1bに押し付けられる。更に、各引張りばね３８の弾性復元力により、前記フィルムＦの幅方向Ｑの両端部Ｆ1 は畦Ａ1 の両裾部Ａ1bに、より強く押し付けられる。
【００２８】
次に、一対の接地輪２４と一対の踏圧輪３２の高さ方向の取付位置の関係について説明する。図２に示されるように、一対の接地輪２４の高さ方向の取付位置は、該一対の接地輪２４が圃場に接地されたとき、一対の踏圧輪３２が畦成形板２３に設けられた当接板３３から少し離れた状態で接地されるように調整される。例えば、マルチ作業機Ｍが上昇されて、一対の踏圧輪支持ロッド３７が回動自由な状態に配置されたとき、一対の踏圧輪３２は、畦成形板２３の当接板３３に当接した状態で停止する。この状態で、一対の接地輪２４の最下端部は、停止状態の一対の踏圧輪３２の最下端部よりも少し上方に配置される。このため、マルチ作業機Ｍが下降されると、一対の踏圧輪３２は一対の接地輪２４よりも先に圃場に接地され、一対の踏圧輪支持ロッド３７は上方に回動される。この結果、一対の接地輪２４が圃場に接地された状態で、一対の踏圧輪３２と対応する当接板３３との間に隙間Ｖが形成され、フィルムロール１５から繰り出されたフィルムＦが、踏圧輪３２と当接板３３との間を通過可能である。
【００２９】
本実施例のマルチ作業機Ｍの一般的な作用について説明する。図２に示されるように、圃場において、矢印Ｐの方向に沿ってマルチ作業機Ｍを前進させ、ロータリー装置３によって膨軟にされた土を、畦成形板２３によってかき寄せながら成形した畦Ａ1 の全面にフィルムＦを被覆する（マルチ作業）。即ち、図４に示されるように、マルチ作業機Ｍが前進すると、一対の踏圧輪３２がフィルムロール１５から繰り出されているフィルムＦの幅方向Ｑの両端部Ｆ1 を踏圧しながら従動回転される。一対の踏圧輪３２とフィルムＦの幅方向Ｑの両端部Ｆ1 との間に作用する摩擦力により、前記フィルムＦは、フィルムロール支持部材１４の部分におけるブレーキトルク（圧縮ばね１６の付勢力）に抗して繰り出される。そして、図６（ａ），（ｂ）に示されるように、フィルムＦは、各中間ガイドローラＲ1 に巻き掛けられると共に、当該中間ガイドローラＲ1 よりも長さの相当に短い弛み吸収ローラ２２に前記中間ガイドローラＲ1 に対する巻き掛け方向と逆方向に巻き掛けられた状態で、フィルムロール１５から繰り出される。即ち、高さ方向に沿って中間ガイドローラＲ1 と畦Ａ1 の上面部Ａ1aとの間に配置された弛み吸収ローラ２２がフィルムＦの幅方向Ｑの中央部を前方に押し出すように作用することにより、空中部を走行中のフィルムＦの幅方向Ｑの両端部Ｆ1 に発生する弛みを吸収すると共に、当該フィルムＦに走行方向及び幅方向の双方の張力が付与された状態で、当該フィルムＦはフィルムロール１５から繰り出されて、畦成形板２３によって断面略放物線形状に成形された畦Ａ1 の上面部Ａ1aを覆う。この状態で、フィルムＦの幅方向Ｑの両端部Ｆ1 は、一対の踏圧輪３２に踏圧されているため、該フィルムＦは、幅方向Ｑに一定の張力が付与された状態で畦Ａ1 の上面部Ａ1aと両裾部Ａ1bを被覆する。そして、前記フィルムＦの幅方向Ｑの両端部Ｆ1 は、一対の踏圧輪３２の直後に配設された各覆土輪３９によって覆土４１がされる。
【００３０】
ここで、図７に詳細に示されているように、中間ガイドローラＲ1 は、中央に配置される分割ローラ体Ｒ11と、両端部に配置される一対の分割ローラ体Ｒ12とに分割されて、中央の分割ローラ体Ｒ11の軸心は、マルチ作業機Ｍの進行方向である矢印Ｐの方向と直交する方向に沿って配置されているが、両端の２本の分割ローラ体Ｒ12の軸心は、外端がマルチ作業機Ｍの前側を向くように平面視において角度（α1)だけ傾斜して水平に配置されている。このため、中間ガイドローラＲ1 を構成する３本の分割ローラ体Ｒ11，Ｒ12のうち両端の一対の分割ローラ体Ｒ12が上記したように傾斜配置されているため、フィルムロール１５から繰り出されて中間ガイドローラＲ1 に巻き掛けられたフィルムＦは、弛み吸収ローラ２２により斜前下方に引っ張られる際に、幅方向Ｑの両側に僅かに引っ張られた状態で空中を走行して、マルチ作業機Ｍの進行により、当該フィルムＦは、被覆直前の幅方向Ｑの両端部Ｆ1 が各踏圧輪３２で踏圧されることにより、フィルムロール１５から繰り出されて、成形直後の畦Ａ1 に被覆される。このように、フィルムＦが中間ガイドローラＲ1 の部分を走行する際に、幅方向Ｑの両側に引っ張られた状態になってしわが発生しにくくなるので、畦Ａ1 に被覆されるフィルムＦにしわが発生するのが抑制される。
【００３１】
このため、図８に示されるように、畦Ａ1 にはフィルムＦが被覆されて、当該フィルムＦの幅方向Ｑの両端部Ｆ1 は、各覆土輪３９による覆土４１により覆われる。そして、フィルムＦのうち、特に畦Ａ1 の上面部Ａ1aを覆う部分にはしわが発生しなくなるので、強風が発生してもフィルムＦは畦面に密着していて、当該フィルムＦの両端部（裾部）Ｆ1 が簡単には外れなくなって、フィルムＦは、畦面に対する被覆状態を維持している。なお、図８及び図１３では、フィルムＦは畦Ａ1 〜Ａ3 の畦面に密着しているが、畦面とフィルムＦとの双方を図示可能にするために、畦面に対して僅かに隙間を設けてフィルムＦを図示してある。
【実施例２】
【００３２】
図９に示される実施例２の中間ガイドローラＲ2 は、中央に配置される１本の分割ローラ体Ｒ21と、両側に配置される一対の分割ローラ体Ｒ22の計３本の分割ローラ体で構成される。中央の分割ローラ体Ｒ21は、矢印Ｐと直交する方向に水平に配置されている。両側に配置される一対の分割ローラ体Ｒ22は、いずれも平面視において外端がマルチ作業機Ｍの前側となるように角度（α2)だけ傾斜し、しかも背面視において外端が僅かに低くなるように角度（β2)だけ傾斜して配置されている。このため、平面視における両側の分割ローラ体Ｒ22の傾斜は、フィルムＦが中間ガイドローラＲ2 の部分を走行する際に、当該フィルムＦが幅方向Ｑの両側に引っ張られるように作用すると共に、背面視における傾斜配置は、フィルムＦの流れを助けるので、中間ガイドローラＲ2 及び弛み吸収ローラ２２に巻き掛けられた後に空中走行するフィルムＦにしわが発生するのが一層抑制されて、畦Ａ1 に被覆されるフィルムＦにしわが一層発生しにくくなる。
【実施例３】
【００３３】
図１０に示される実施例３の中間ガイドローラＲ3 は、外端がマルチ作業機Ｍの前側を向くように平面視で角度（α3)だけ傾斜配置された一対の分割ローラ体Ｒ31で構成される。この中間ガイドローラＲ3 は、巻き掛けられるフィルムＦの全部分が幅方向Ｑの両側に引っ張られるように作用するため、フィルムＦにしわが発生するのを抑制する効果が高まる。
【実施例４】
【００３４】
図１１に示される実施例４の中間ガイドローラＲ4 は、中央部は外径が等しくなっているが、両端部は、両端に向けて外径が小さくなるようなテーパー形状を有している。このため、フィルムＦが巻き掛けられる観点からは、軸方向の両端部に配置される一対の分割ローラ体が、平面視において外端がマルチ作業機Ｍの前側を向くように傾斜配置されている場合と同様の作用効果が奏される。即ち、フィルムロール１５から繰り出されて中間ガイドローラＲ4 に巻き掛けられたフィルムＦは、弛み吸収ローラ２２により斜前下方に引っ張られる際に、幅方向Ｑの両側に僅かに引っ張られた状態で空中を走行するため、１本構造の中間ガイドローラＲ4 であっても、畦Ａ1 に覆われるフィルムＦにしわが発生するのを抑制できる。
【００３５】
また、上記した中間ガイドローラＲ4 は、軸心方向に沿った中央部の所定長の部分が同一径となっているが、軸心方向の中央から両端に向けて外径が小さくなるように、軸心方向に沿った全ての部分をテーパー状に形成しても、同様の作用効果が奏される。
【実施例５】
【００３６】
図１２に示される実施例５の中間ガイドローラＲ5 は、マルチ作業機Ｍの進行方向である矢印Ｐと直交する水平な方向（フィルムＦの幅方向Ｑ）に沿って水平に配置された中央の分割ローラ体Ｒ51と、両端の一対の分割ローラ体Ｒ52との計３本の分割ローラ体で構成され、両端の一対の分割ローラ体Ｒ52が中央の分割ローラ体Ｒ51よりも僅かにマルチ作業機Ｍの前側に配置された構成である。この構成によっても、中間ガイドローラＲ5 に巻き掛けられるフィルムＦは、幅方向Ｑに僅かに引っ張られるので、フィルムＦにしわが発生するのを防止又は抑制できる。
【００３７】
また、上記した各中間ガイドローラＲ1 〜Ｒ5 のうち、全体が１本構造の中間ガイドローラＲ4 を除く残り全ての中間ガイドローラＲ1 〜Ｒ3 ，Ｒ5 において、中央の分割ローラ体のみ回転構造にして、両端に配置される分割ローラ体は非回転構造にしても、中間ガイドローラとしての機能を果たし得る。更に、上記各実施例において、中間ガイドローラの分割本数は、３以上であってもよく、例えば５分割の場合には、両端の一対（２本）の分割ローラ体のみを平面視において外端がマルチ作業機Ｍの前側に配置されるように傾斜させればよい。
【００３８】
また、畦面の形状の観点からは、図１３（ａ），（ｂ）に示されるような上面が平面状となった畦Ａ2 ，Ａ3 の方が、上面が曲面状をした前記畦Ａ1 よりも、被覆されたフィルムＦにしわが発生し易いが、本発明によれば、上面が平面状となった畦Ａ2 ，Ａ3 においてもしわの発生を無くすか、或いは抑制できる。
【００３９】
また、フィルムロール１５の幅に対する中間ガイドローラＲ1 〜Ｒ5 の長さに関しては、図１３（ａ），（ｂ）に示されるような上面が平面状となった畦Ａ2 ，Ａ3 の場合には、中間ガイドローラＲ1 〜Ｒ5 の全長は、フィルムロール１５の幅と等しいか、或いはこれに近づくが、図８に示されるような上面が曲面状をした畦Ａ1 の場合には、中間ガイドローラＲ1 〜Ｒ5 の全長は、フィルムロール１５の幅に対して短くなる。上面が平面状となった畦Ａ2 ，Ａ3 に対応する中間ガイドローラにおいても、上記各実施例１〜５と同様に、分割構造にして、両端の分割ローラ体、或いは両端部ガイド体をマルチ作業機の前側を向くように傾斜配置すると、同様の作用効果が奏される。
【図面の簡単な説明】
【００４０】
【図１】本発明を実施したマルチ作業機Ｍの後方からの斜視図である。
【図２】トラクタＴに連結されたマルチ作業機Ｍの一部を破断した側面図である。
【図３】同じく平面図である。
【図４】同じく背面図である。
【図５】畦成形板２３の斜視図である。
【図６】（ａ），（ｂ）は、それぞれ畦Ａ1 にフィルムＦが被覆される状態を示す平面図、及び側面図である。
【図７】（ａ），（ｂ），（ｃ）は、それぞれ中間ガイドローラＲ1 の平面図、背面図及び畦Ａ1 がフィルムＦで被覆される状態の側面図である。
【図８】畦Ａ1 がフィルムＦで覆われる状態の断面図である。
【図９】（ａ），（ｂ），（ｃ）は、それぞれ中間ガイドローラＲ2 の平面図、背面図及び畦Ａ1 がフィルムＦで被覆される状態の側面図である。
【図１０】（ａ），（ｂ），（ｃ）は、それぞれ中間ガイドローラＲ3 の平面図、背面図及び畦Ａ1 がフィルムＦで被覆される状態の側面図である。
【図１１】（ａ），（ｂ），（ｃ）は、それぞれ中間ガイドローラＲ4 の平面図、背面図及び畦Ａ1 がフィルムＦで被覆される状態の側面図である。
【図１２】（ａ），（ｂ），（ｃ）は、それぞれ中間ガイドローラＲ5 の平面図、背面図及び畦Ａ1 がフィルムＦで被覆される状態の側面図である。
【図１３】（ａ），（ｂ）は、それぞれ上面が平面状となった畦Ａ2 ，Ａ3 にフィルムＦを被覆した状態の断面図である。
【符号の説明】
【００４１】
Ａ1 〜Ａ3 ：畦
Ａ1a：畦の上面部
Ｆ：マルチフィルム
Ｍ：マルチ作業機（機体）
Ｑ：フィルムの幅方向
Ｒ1 〜Ｒ5 ：中間ガイドローラ
R11,R12,R21,R22,R31,R51,R52：分割ローラ体
α1,α2,α3 ：平面視における分割ローラ体の傾斜角度
β2 ：背面視における分割ローラ体の傾斜角度
１５：フィルムロール
２２：弛み吸収ローラ
２３：畦成形板
【図１】
0004921401.tif 000002
【図２】
0004921401.tif 000003
【図３】
0004921401.tif 000004
【図４】
0004921401.tif 000005
【図５】
0004921401.tif 000006
【図６】
0004921401.tif 000007
【図７】
0004921401.tif 000008
【図８】
0004921401.tif 000009
【図９】
0004921401.tif 000010
【図１０】
0004921401.tif 000011
【図１１】
0004921401.tif 000012
【図１２】
0004921401.tif 000013
【図１３】
0004921401.tif 000014